(57)【要約】  画面輝度に基づいて色温度を調節する方法、非一時的コンピュータ可読記憶媒体および端末装置（１０００）を提供する。方法は、青色光フィルタリング操作を受けた画面の現在の画面輝度を検出する工程（Ｓ１１０）と、現在の画面輝度および適合予定の目標色温度に対応するＲＧＢ光スペクトルエネルギの再構成比率を、予め学習したＲＧＢ光スペクトルエネルギ分布情報にしたがって決定する工程（Ｓ１２０）と、再構成比率にしたがってＲＧＢ光スペクトルエネルギを調節することで、青色光フィルタリング操作を受けた画面のＲＧＢ光スペクトルエネルギが目標色温度に適合することを可能にする工程（Ｓ１３０）とを含む。
2020506414.tif 000002
【特許請求の範囲】
【請求項１】
画面輝度に基づいて色温度を調節する方法であって、
青色光フィルタリング操作を受けた画面の画面輝度を検出する工程（Ｓ１１０）と、
前記画面輝度および適合予定の目標色温度に対応するＲＧＢ光スペクトルエネルギの再構成比率を、予め学習したＲＧＢ光スペクトルエネルギ分布情報にしたがって決定する工程（Ｓ１２０）と、
前記再構成比率にしたがって前記画面の前記ＲＧＢ光スペクトルエネルギを調節することで、前記青色光フィルタリング操作を受けた前記画面の前記ＲＧＢ光スペクトルエネルギが前記目標色温度に適合するようにする工程（Ｓ１３０）と
を備える方法。
【請求項２】
前記画面輝度および前記適合予定の目標色温度に対応する前記ＲＧＢ光スペクトルエネルギの前記再構成比率を、前記予め学習したＲＧＢ光スペクトルエネルギ分布情報にしたがって決定する工程（Ｓ１２０）は、
前記画面輝度に対応する画面輝度レベルを得る工程と、
前記予め学習したＲＧＢ光スペクトルエネルギ分布情報について照会を行なって前記画面輝度レベルおよび前記目標色温度に対応する前記再構成比率を得る工程と
を備える、請求項１に記載の方法。
【請求項３】
前記画面輝度および前記適合予定の目標色温度に対応する前記ＲＧＢ光スペクトルエネルギの前記再構成比率を、前記予め学習したＲＧＢ光スペクトルエネルギ分布情報にしたがって決定する工程（Ｓ１２０）は、
予め分割された複数の輝度範囲について照会を行なうことで、前記画面輝度を含む目標輝度範囲と、前記目標輝度範囲に対応する基準輝度とを決定する工程と、
前記予め学習したＲＧＢ光スペクトルエネルギ分布情報について照会を行なって、前記基準輝度および前記目標色温度に対応する前記再構成比率を得る工程と
を備える、請求項１に記載の方法。
【請求項４】
前記方法は、
画面輝度レベル毎に、各色温度の所望の表示効果を実現するのに必要な前記ＲＧＢ光スペクトルエネルギの再構成比率を予め学習して記憶することで、前記予め学習したＲＧＢ光スペクトルエネルギ分布情報を得る工程
をさらに備える、請求項１から３のいずれか一項に記載の方法。
【請求項５】
画面輝度レベル毎に、各色温度の表示効果を実現するのに必要な前記ＲＧＢ光スペクトルエネルギの再構成比率を予め学習して記憶することで、前記予め学習したＲＧＢ光スペクトルエネルギ分布情報を得る工程は、
所定の画面輝度レベルについて、前記最初の状態の前記画面の前記ＲＧＢ光スペクトルエネルギを所定の色温度にしたがって調節する工程と、
前記画面の前記調節済みＲＧＢ光スペクトルエネルギにしたがって現在の色温度を取得し、前記現在の色温度が前記所定の色温度に適合するか否かを決定する工程と、
前記現在の色温度が前記所定の色温度に適合しないときに、前記所定の色温度に適合するまで前記調節済みＲＧＢ光スペクトルエネルギを調節し続ける工程と、
前記予め学習したＲＧＢ光スペクトルエネルギ分布情報にテストデータを記録する工程であって、前記テストデータは前記所定の画面輝度レベル、前記所定の色温度および前記ＲＧＢ光スペクトルエネルギの再構成比率の対応づけを備える、工程と
を備える、請求項４に記載の方法。
【請求項６】
画面輝度レベル毎に、各色温度の表示効果を実現するのに必要な前記ＲＧＢ光スペクトルエネルギの再構成比率を予め学習して記憶することで、前記予め学習したＲＧＢ光スペクトルエネルギ分布情報を得る工程は、
所定の画面輝度レベルについてユーザに対して前記ＲＧＢ光スペクトルエネルギの再構成比率に対する色温度の表示効果を与える工程と、
前記表示効果に対して前記ユーザによってフィードバックされる評価情報を受ける工程と、
前記評価情報にしたがって前記ＲＧＢ光スペクトルエネルギ分布情報にテストデータを記録する工程であって、前記テストデータは、前記所定の画面輝度レベル、前記第１の色温度および前記ＲＧＢ光スペクトルエネルギの前記比率の対応づけを備える、工程と
を備える、請求項４に記載の方法。
【請求項７】
前記方法は、
画面輝度範囲を検出する工程と、
所定の範囲個数および前記画面輝度範囲にしたがって前記複数の輝度範囲を決定する工程と、
各輝度範囲に対応する基準輝度を決定する工程と
をさらに備える、請求項３に記載の方法。
【請求項８】
各輝度範囲に対応する前記基準輝度を決定する工程は、
各輝度範囲について、前記輝度範囲に対応する前記基準輝度として前記輝度範囲における中央の輝度を得る工程
を備える、請求項７に記載の方法。
【請求項９】
前記再構成比率にしたがって前記画面の前記ＲＧＢ光スペクトルエネルギを調節することで、前記青色光フィルタリング操作を受けた前記画面の前記ＲＧＢ光スペクトルエネルギが前記目標色温度に適合するようにする工程（Ｓ１３０）は、
青色光、緑色光および赤色光にそれぞれ対応する複数の第１のエネルギ調節モジュールによって前記再構成比率にしたがって前記ＲＧＢ光スペクトルエネルギに対する最初の調節を行なう工程と、
前記第１のエネルギ調節モジュールによって最初に調節された前記ＲＧＢ光スペクトルエネルギに対するさらなる調節を、青色光、緑色光および赤色光にそれぞれ対応する複数の第２のエネルギ調節モジュールによって行なうことで、前記青色光フィルタリング操作を受けた前記画面の前記ＲＧＢ光スペクトルエネルギが前記目標色温度に適合するようにする工程と
を備える、請求項１から８のいずれか一項に記載の方法。
【請求項１０】
前記再構成比率にしたがって前記画面の前記ＲＧＢ光スペクトルエネルギを調節することで、前記青色光フィルタリング操作を受けた前記画面の前記ＲＧＢ光スペクトルエネルギが前記目標色温度に適合するようにする工程（Ｓ１３０）は、
青色光、緑色光および赤色光にそれぞれ対応する複数の第３のエネルギ調節モジュールによって前記再構成比率にしたがって前記画面の前記ＲＧＢ光スペクトルエネルギを調節することで、前記青色光フィルタリング操作を受けた前記画面の前記ＲＧＢ光スペクトルエネルギが前記目標色温度に適合するようにする工程
を備える、請求項１から８のいずれか一項に記載の方法。
【請求項１１】
青色光フィルタリング操作を受けた画面の画面輝度を検出する工程（Ｓ１１０）は、
フィルタリングされた青色光の比率を得る工程と、
フィルタリングされた青色光の前記比率を画面輝度の式に代入して前記画面輝度を得る工程と
を備える、請求項１から１０のいずれか一項に記載の方法。
【請求項１２】
青色光フィルタリング操作を受けた画面の画面輝度を検出する工程（Ｓ１１０）は、
輝度センサを用いて前記画面輝度を得る工程
を備える、請求項１から１０のいずれか一項に記載の方法。
【請求項１３】
それ自体に記憶されるコンピュータプログラムを有する非一時的コンピュータ可読記憶媒体であって、前記コンピュータプログラムがデバイスによって実行されるとき、前記デバイスが請求項１から１２のいずれか一項に記載の方法を実行するようになる、非一時的コンピュータ可読記憶媒体。
【請求項１４】
メモリ（１１００）と、プロセッサ（１２００）と、前記メモリ（１１００）に記憶されて前記プロセッサ（１２００）上で実行可能なコンピュータプログラム（１３００）とを備える端末装置（１０００）であって、前記プロセッサ（１２００）が前記コンピュータプログラム（１３００）を実行するとき、前記端末装置（１０００）は請求項１から１２のいずれか一項に記載の方法を実行するようになる、端末装置（１０００）。
【発明の詳細な説明】
【技術分野】
【０００１】
関連する出願の参照
本出願は２０１７年６月１９日に出願された中国特許出願第２０１７１０４６５５８６．２号の優先権に基づき、これを主張する。当該中国特許出願の全内容は参照によって本明細書に援用される。
【０００２】
本開示は画面表示技術に関し、特に、画面輝度に基づいて色温度を調節する方法、非一時的コンピュータ可読記憶媒体および端末装置に関する。
【背景技術】
【０００３】
現在、端末装置の画面は一般的には赤色、緑色および青色の３色を重ねることによって異なる色を表示する。青色は短波長の青色光を指し、黄斑症などの眼科疾患を引き起こす場合がある。したがって、多くの製造者によって、青色光フィルタリングによる疾患から眼を保護することが望まれている。
【発明の概要】
【発明が解決しようとする課題】
【０００４】
したがって、本開示は、画面輝度に基づいて色温度を調節する方法、端末装置および非一時的コンピュータ可読記憶媒体を提供することに関する。
【課題を解決するための手段】
【０００５】
本開示の実施の形態では、画面輝度に基づいて色温度を調節する方法であって、青色光フィルタリング操作を受けた画面の画面輝度を検出する工程と、画面輝度および適合予定の目標色温度に対応するＲＧＢ光スペクトルエネルギの再構成比率を、予め学習したＲＧＢ光スペクトルエネルギ分布情報にしたがって決定する工程と、再構成比率にしたがって画面のＲＧＢ光スペクトルエネルギを調節することで、青色光フィルタリング操作を受けた画面のＲＧＢ光スペクトルエネルギが目標色温度に適合するようにする工程とを含む方法を提供する。
【０００６】
一実施の形態では、画面輝度および適合予定の目標色温度に対応するＲＧＢ光スペクトルエネルギの再構成比率を、予め学習したＲＧＢ光スペクトルエネルギ分布情報にしたがって決定する工程は、画面輝度に対応する画面輝度レベルを得る工程と、予め学習したＲＧＢ光スペクトルエネルギ分布情報について照会を行なって画面輝度レベルおよび目標色温度に対応する再構成比率を得る工程とを含む。
【０００７】
一実施の形態では、画面輝度および適合予定の目標色温度に対応するＲＧＢ光スペクトルエネルギの再構成比率を、予め学習したＲＧＢ光スペクトルエネルギ分布情報にしたがって決定する工程は、予め分割された複数の輝度範囲について照会を行なうことで、画面輝度を含む目標輝度範囲と、目標輝度範囲に対応する基準輝度とを決定する工程と、予め学習したＲＧＢ光スペクトルエネルギ分布情報について照会を行なって、基準輝度および目標色温度に対応する再構成比率を得る工程とを含む。
【０００８】
一実施の形態では、方法は、画面輝度レベル毎に、各色温度の所望の表示効果を実現するのに必要なＲＧＢ光スペクトルエネルギの再構成比率を予め学習して記憶することで、予め学習したＲＧＢ光スペクトルエネルギ分布情報を得る工程をさらに含む。
【０００９】
一実施の形態では、画面輝度レベル毎に、各色温度の表示効果を実現するのに必要なＲＧＢ光スペクトルエネルギの再構成比率を予め学習して記憶することで、予め学習したＲＧＢ光スペクトルエネルギ分布情報を得る工程は、所定の画面輝度レベルについて、最初の状態の画面のＲＧＢ光スペクトルエネルギを所定の色温度にしたがって調節する工程と、画面の調節済みＲＧＢ光スペクトルエネルギにしたがって現在の色温度を取得し、現在の色温度が所定の色温度に適合するか否かを決定する工程と、現在の色温度が所定の色温度に適合しないときに、所定の色温度に適合するまで調節済みＲＧＢ光スペクトルエネルギを調節し続ける工程と、予め学習したＲＧＢ光スペクトルエネルギ分布情報にテストデータを記録する工程であって、テストデータは所定の画面輝度レベル、所定の色温度およびＲＧＢ光スペクトルエネルギの再構成比率の対応づけを備える、工程とを含む。
【００１０】
一実施の形態では、画面輝度レベル毎に、各色温度の表示効果を実現するのに必要なＲＧＢ光スペクトルエネルギの再構成比率を予め学習して記憶することで、予め学習したＲＧＢ光スペクトルエネルギ分布情報を得る工程は、所定の画面輝度レベルについてユーザに対してＲＧＢ光スペクトルエネルギの再構成比率に対する色温度の表示効果を与える工程と、表示効果に対してユーザによってフィードバックされる評価情報を受ける工程と、評価情報にしたがってＲＧＢ光スペクトルエネルギ分布情報にテストデータを記録する工程であって、テストデータは、所定の画面輝度レベル、第１の色温度およびＲＧＢ光スペクトルエネルギの比率の対応づけを備える、工程とを含む。
【００１１】
一実施の形態では、方法は、画面輝度範囲を検出する工程と、所定の範囲個数および画面輝度範囲にしたがって複数の輝度範囲を決定する工程と、各輝度範囲に対応する基準輝度を決定する工程とをさらに含む。
【００１２】
一実施の形態では、各輝度範囲に対応する基準輝度を決定する工程は、各輝度範囲について、輝度範囲に対応する基準輝度として輝度範囲における中央の輝度を得る工程を含む。
【００１３】
一実施の形態では、再構成比率にしたがって画面のＲＧＢ光スペクトルエネルギを調節することで、青色光フィルタリング操作を受けた画面のＲＧＢ光スペクトルエネルギが目標色温度に適合するようにする工程は、青色光、緑色光および赤色光にそれぞれ対応する複数の第１のエネルギ調節モジュールによって再構成比率にしたがってＲＧＢ光スペクトルエネルギに対する最初の調節を行なう工程と、第１のエネルギ調節モジュールによって最初に調節されたＲＧＢ光スペクトルエネルギに対するさらなる調節を、青色光、緑色光および赤色光にそれぞれ対応する複数の第２のエネルギ調節モジュールによって行なうことで、青色光フィルタリング操作を受けた画面のＲＧＢ光スペクトルエネルギが目標色温度に適合するようにする工程とを含む。
【００１４】
一実施の形態では、再構成比率にしたがって画面のＲＧＢ光スペクトルエネルギを調節することで、青色光フィルタリング操作を受けた画面のＲＧＢ光スペクトルエネルギが目標色温度に適合するようにする工程は、青色光、緑色光および赤色光にそれぞれ対応する複数の第３のエネルギ調節モジュールによって再構成比率にしたがって画面のＲＧＢ光スペクトルエネルギを調節することで、青色光フィルタリング操作を受けた画面のＲＧＢ光スペクトルエネルギが目標色温度に適合するようにする工程を含む。
【００１５】
一実施の形態では、青色光フィルタリング操作を受けた画面の画面輝度を検出する工程は、フィルタリングされた青色光の比率を得る工程と、フィルタリングされた青色光の比率を画面輝度の式に代入して画面輝度を得る工程とを含む。
【００１６】
一実施の形態では、青色光フィルタリング操作を受けた画面の画面輝度を検出する工程は、輝度センサを用いて画面輝度を得る工程を含む。
【００１７】
本開示の実施の形態では、それ自体に記憶されるコンピュータプログラムを有する非一時的コンピュータ可読記憶媒体を提供する。プロセッサがコンピュータプログラムを実行するとき、デバイスは、上述されている画面輝度に基づいて色温度を調節する方法を実行するようになる。
【００１８】
本開示の実施の形態では、メモリと、プロセッサと、メモリに記憶されてプロセッサ上で実行可能なコンピュータプログラムとを含む端末装置を提供する。プロセッサがコンピュータプログラムを実行するとき、端末装置は、上述されている画面輝度に基づいて色温度を調節する方法を実行するようになる。
【００１９】
本開示の実施の形態のさらなる態様および利点が以下の説明中で部分的に得られたり、以下の説明から部分的に明らかになったり、本開示の実施の形態の実施から知られたりする。
【００２０】
本開示の実施の形態のこれらの態様および利点ならびに他の態様および利点が、図面を参照してなされている以下の説明から明らかになり、より容易に理解されるようになる。
【図面の簡単な説明】
【００２１】
【図１】本開示の一実施の形態に係る、画面輝度に基づいて色温度を調節する方法のフローチャートである。
【図２（ａ）】本開示の実施の形態に係る、画面の色温度パラメータについてのスペクトル図を示す概略図である。
【図２（ｂ）】本開示の別の実施の形態に係る、画面の色温度パラメータについてのスペクトル図を示す概略図である。
【図３】本開示の特定の実施の形態に係る、画面輝度に基づいて色温度を調節する方法のフローチャートである。
【図４】本開示の実施の形態に係る、画面輝度に基づいて色温度を調節する装置のブロック図である。
【図５】本開示の別の実施の形態に係る、画面輝度に基づいて色温度を調節する装置のブロック図である。
【図６】本開示のさらに別の実施の形態に係る、画面輝度に基づいて色温度を調節する装置のブロック図である。
【図７】本開示の実施の形態に係る端末装置のブロック図である。
【発明を実施するための形態】
【００２２】
以下、例示的な実施の形態を詳細に参照する。例示的な実施の形態の例が添付の図面に説明されている。図面にわたって、同じ符号または類似の符号は同じ要素または類似の要素もしくは同じ機能または類似の機能を有する要素を表わす。図面を参照して以下で説明されている実施の形態は例示的にすぎず、また、本開示を説明するために用いられているにすぎず、本開示に対する限定として理解するべきではない。
【００２３】
本開示の実施の形態に係る、画面輝度に基づいて色温度を調節する方法、画面輝度に基づいて色温度を調節する装置および端末装置を添付の図面を参照して以下で説明する。
【００２４】
青色光の一部がフィルタリングされた後は、画面輝度がＲＧＢ比率から構成されるので、色温度を調節するときに青色光の一部がフィルタリングで除かれた後に画面の色に加えて画面輝度も変化する場合があることは明らかである。実際の操作の際には、画面輝度が変化し、これに応じて画面の色温度が変化する。色温度は６００〜７００Ｋの範囲で変化し得るが、この範囲は、色温度の調節結果が期待する結果に一致しない可能性があるような範囲、すなわち、明らかな誤りがある可能性があるような範囲である。
【００２５】
青色光（Ｂ）の一部がフィルタリングで除かれた後、画面輝度が低下する場合がある。たとえば、端末装置の表示画面について、表示画面輝度Ｙと赤色光、緑色光および青色光（ＲＧＢ）の比率との関係をＹ＝０．２９９＊Ｒ＋０．５８７＊Ｇ＋０．１１４＊Ｂと表わすことができ、この式から、青色光（Ｂ）がフィルタリングで除かれた場合にＹの値が低下することが分かる。しかし、異なる画面輝度が色温度の色構成における光スペクトルエネルギ分布に異なる効果をもたらす場合があり、この効果は、視認色温度と予測色温度との差が存在する場合がある、すなわち、色温度のシフトが生じる場合があるというような効果である。
【００２６】
上記の技術的課題を解決するために、本開示は、ユーザの見え方を改善することができるような、色温度に対する画面輝度の変化の効果をなくすことができる、画面輝度に基づいて色温度を調節する方法を提供する。
【００２７】
以下、本開示によって提供される、画面輝度に基づいて色温度を調節する方法を特定の実施の形態と組み合わせて説明する。本開示によって提供される、画面輝度に基づいて色温度を調節する方法の実行対象は、画面輝度に基づいて色温度を調節する装置を指す。画面輝度に基づいて色温度を調節する装置は、携帯電話器、コンピュータ、ＰＡＤ、ウェアラブルデバイスなどの表示画面を有する端末装置であってもよく、これらは適用要件に応じて選択してもよい。
【００２８】
図１は、本開示の一実施の形態に係る、画面輝度に基づいて色温度を調節する方法のフローチャートを示す。
【００２９】
図１に示されているように、方法は以下を含む。
【００３０】
ブロックＳ１１０で、青色光フィルタリング操作を受けた画面の現在の画面輝度を検出する。
【００３１】
青色光フィルタリング操作の後、画面の画面輝度が変化する場合がある。この場合、青色光フィルタリング操作を受けた画面の現在の画面輝度を検出することによって現在の画面輝度の状態を得ることができる。
【００３２】
異なる適用例で、青色光フィルタリング操作を受けた画面の現在の画面輝度を得るのに異なる方法を用いることができ、これを以下で説明する。
【００３３】
第１の例
この例では、画面輝度を画面輝度の式にしたがって得る。たとえば、画面輝度ＹおよびＲＧＢ比率をＹ＝０．２９９＊Ｒ＋０．５８７＊Ｇ＋０．１１４＊Ｂと表わしてもよい。色温度を調節した後、変更したＢの比率を上記の式に代入して現在の画面輝度を得る。
【００３４】
第２の例
青色光フィルタリング操作を受けた画面の現在の画面輝度を、関連する輝度センサを介して得ることができる。
【００３５】
ブロックＳ１２０で、現在の画面輝度および適合予定の目標色温度に対応するＲＧＢ光スペクトルエネルギの再構成比率を、予め学習したＲＧＢ光スペクトルエネルギ分布情報にしたがって決定する。
【００３６】
目標色温度は所望の画面色温度の表示効果に対応する画面色温度であってもよい。
【００３７】
画面輝度および画面色温度は対応づけて予め紐づけられる。特定の画面輝度レベル下で各色温度の表示効果に必要なＲＧＢ光スペクトルエネルギの再構成比率を予め学習して記憶してもよい。表１に示されているように、一例において、画面輝度が５ニットであり、画面色温度を２０００Ｋ〜１００００Ｋの範囲で調節することができる。予め学習した後、各画面色温度の表示効果に必要なＲＧＢ光スペクトルエネルギの比率を５ニットの画面輝度下で得ることができる。
【表１】
2020506414.tif 000003
現在の画面輝度および適合予定の目標色温度に対応する再構成比率が、予め学習したＲＧＢ光スペクトルエネルギ分布情報にしたがって決定される。たとえば、現在の画面輝度が５ニットである場合において目標色温度が２０００Ｋであるとき、ＲＧＢ光スペクトルエネルギの対応する再構成比率はａ１：ｂ１：ｃ１であってもよく、これは、適合予定の目標色温度に対応するＲＧＢ光スペクトルエネルギ分布比率になり得る。
【００３８】
予め学習したＲＧＢ光スペクトルエネルギ分布情報にしたがって決定された現在の画面輝度および適合予定の目標色温度に対応するＲＧＢ光スペクトルエネルギ分布比率は、青色光フィルタリング操作を受けた画面の当初のＲＧＢ光スペクトルエネルギ分布比率とは異なる可能性がある。この差は、決定されたＲＧＢ光スペクトルエネルギ分布比率を区別のためにＲＧＢ光スペクトルエネルギの再構成比率と称してもよいような差である。
【００３９】
異なる適用例で、ＲＧＢ光スペクトルエネルギ分布情報を学習するのに異なる方法を用いることができ、これを以下で説明する。
【００４０】
第１の例
所定の色温度に適合するまで所定の色温度にしたがって最初の状態の画面のＲＧＢ光スペクトルエネルギを調節する。最初の状態の画面のＲＧＢ光スペクトルエネルギは青色光、緑色光および赤色光にそれぞれ対応するエネルギ調節モジュールによって調節される。現在の色温度は画面の調節済みＲＧＢ光スペクトルエネルギにしたがって得られ、現在の色温度が所定の色温度に適合するか否かが決定される。現在の色温度が所定の色温度に適合しない場合、所定の色温度に適合するまでＲＧＢ光スペクトルエネルギの調節を続ける。
【００４１】
ＲＧＢ光スペクトル分布情報に記録されるテストデータは、所定の画面輝度レベル、所定の色温度およびＲＧＢ光スペクトルエネルギの再構成比率の対応づけを含んでもよい。
【００４２】
第２の例
ＲＧＢ光スペクトルエネルギの各再構成比率によって生じる色温度の表示効果を各輝度レベル下で得ることができる。ユーザが様々な色温度を知覚した後、ユーザが様々な色温度に対してフィードバックする評価情報を受け、各色温度に対応するＲＧＢ光スペクトルエネルギ分布情報を得て記録することができる。
【００４３】
異なる適用例で、異なる方法を採用して、予め学習したＲＧＢ光スペクトルエネルギ分布情報にしたがって画面輝度および適合予定の目標色温度に対応するＲＧＢ光スペクトルエネルギの再構成比率を決定することができる。
【００４４】
可能な実施の形態としては、各画面色温度に対応するＲＧＢ光スペクトルエネルギの再構成比率が各輝度レベルについて学習される理想的な状態で、膨大な量の計算を行なうことができる。たとえば、画面の画面輝度レベルが２５５段階ある場合、２５５段階の画面輝度レベルについてＲＧＢ光スペクトルエネルギの再構成比率を学習する。これによってシステムに高い計算負荷が生じる場合がある。
【００４５】
本実施の形態では画面輝度範囲を検出する。複数の輝度範囲を所定の範囲個数および画面輝度範囲にしたがって決定する。言い換えると、画面に表示することができる画面輝度にしたがって輝度範囲を予め分割する。たとえば、画面輝度レベルが２５５段階ある場合、３つの画面輝度レベル範囲０〜８０，８１〜１６０および１６１〜２５５に対応する３つの輝度範囲を得ることができる。輝度範囲の個数をシステム処理能力に応じて設定することができる。輝度範囲毎に基準輝度を設定する。一例では、各輝度範囲における中央の輝度を基準輝度として構成する。別の例では、各輝度範囲に含まれるすべての画面輝度の平均値を基準輝度として構成することができ、その際、基準輝度を学習する。
【００４６】
予め分割した輝度範囲について照会を行なって、現在の画面輝度を含む目標輝度範囲と、目標輝度範囲に対応する基準輝度とを決定する。予め学習したＲＧＢ光スペクトルエネルギ分布情報を探索して基準輝度および目標色温度に対応するＲＧＢ光スペクトルエネルギの再構成比率を得る。
【００４７】
本実施の形態では、たとえば、青色光フィルタリング操作を受けた画面の現在の画面輝度が１００ニットとして検出される。目標色温度はｎ  Ｋである。所定の輝度範囲を探索した後、現在の画面輝度を含む目標輝度範囲が１〜１２０の輝度レベル範囲に対応する輝度範囲として決定される。輝度範囲に対応する基準輝度は６０ニットである。この場合、予め学習したＲＧＢ光スペクトルエネルギ分布情報について照会を行なうことによって、基準輝度６０ニットおよび目標色温度ｎ  Ｋに対応するＲＧＢ光スペクトルエネルギの再構成比率を得ることができる。
【００４８】
ブロックＳ１３０で、ＲＧＢ光スペクトルエネルギを再構成比率にしたがって調節して、青色光フィルタリング操作を受けた画面のＲＧＢ光スペクトルエネルギが目標色温度に適合することを可能にする。
【００４９】
いくつかの実施の形態では、ＲＧＢ光スペクトルエネルギをＲＧＢ光スペクトルエネルギの再構成比率にしたがって調節することで、青色光フィルタリング操作を受けた画面のＲＧＢ光スペクトルエネルギが目標色温度に適合することを保証する。この保証は、画面色温度の誤表示を防止することができ、画面色温度の表示効果が期待する効果に一致し得るようなものである。
【００５０】
異なる適用例で、ＲＧＢ光スペクトルエネルギの再構成比率にしたがってＲＧＢ光スペクトルエネルギを調節する異なる仕方を採用して、青色光フィルタリング操作を受けた画面のＲＧＢ光スペクトルエネルギが目標色温度に適合することを保証してもよい。
【００５１】
可能な実施の形態として、ＲＧＢ光スペクトルエネルギに対して粗い調節および細かい調節を行なう。
【００５２】
本実施の形態では、再構成比率にしたがって青色光、緑色光および赤色光にそれぞれ対応する複数の第１のエネルギ調節モジュールによってＲＧＢ光スペクトルエネルギに最初の調節を行なう。複数の第１のエネルギ調節モジュールによって調節されたＲＧＢ光スペクトルエネルギに青色光、緑色光および赤色光にそれぞれ対応する複数の第２のエネルギ調節モジュールによって補正調節を行なうことで、青色光操作を受けた画面のＲＧＢ光スペクトルエネルギが目標色温度に適合することを可能にする。
【００５３】
たとえば、ＲＧＢ光スペクトルエネルギの再構成比率を、２５７０Ｋの色温度に対応する再構成比率として決定した後に、調節の負荷を軽減するために、まず色温度を２５００Ｋの色温度に対応する再構成比率に調節し、さらに、色温度を２５７０Ｋまで届かせるようにＲＧＢ光スペクトルエネルギの比率を調節する。
【００５４】
目標温度に適合するまで、粗い調節および細かい調節を含む調節処理を多数回繰り返し行なってもよい。
【００５５】
別の実施の形態として、ＲＧＢ光スペクトルエネルギの再構成比率の計算値にしたがってＲＧＢ光スペクトルエネルギを直接調節する。この場合、熟練した操作経験と、各個が高性能であるエネルギ調節モジュールとが必要である。
【００５６】
本実施の形態では、ＲＧＢ光スペクトルエネルギの再構成比率にしたがって、青色光、緑色光および赤色光にそれぞれ対応するエネルギ調節モジュールによってＲＧＢ光スペクトルエネルギを調節する。これにより、青色光フィルタリングを受けた画面のＲＧＢ光スペクトルエネルギが目標色温度に適合することを保証する。
【００５７】
上記のエネルギ調節モジュールは、ＲＧＢ光スペクトルエネルギ調節を実現することができるエネルギ調節器（ｅｎｅｒｇｙ  ａｄｊｕｓｔｏｒ）やエネルギ調節プログラムであってもよい。これは本明細書において限定されない。
【００５８】
画面輝度に基づいて色温度を調節する方法を用いれば、異なる現在の画面輝度がＲＧＢ光スペクトルエネルギに異なる効果をもたらす場合があるという事実に基づいて、各画面色温度に必要なＲＧＢ光スペクトルエネルギの再構成比率を異なる画面輝度下で学習することができる。この学習は、ＲＧＢ光スペクトルエネルギの対応する再構成比率を異なる画面輝度下で対応づけて設定することができるように行なわれるものであり、したがって、画面色温度のシフトが防止される。図２（ａ）および図２（ｂ）に示されている色温度についてのスペクトル図から、低輝度レベル下での色温度パラメータについてのスペクトル図を示す図２（ａ）で、縦軸での最大パワーが０．０８６であり、高輝度レベル下での色温度パラメータについてのスペクトル図を示す図２（ｂ）で、縦軸での最大パワーが８．８であることが分かる。
【００５９】
複数の画面輝度についてＲＧＢ光スペクトルエネルギの再構成比率を適合させることによって、大規模な誤りが生じる状況と比較して画面の色がより自然であるように正確に、異なる輝度に対する画面色温度を得ることができる。また、青色光をフィルタリングで除いて青色光の害悪をなくすことで、免疫学的機能、反応力（ｒｅａｇｅｎｃｙ）、リテンションおよび調整能力が高まり、糖尿病、心臓病、ガン、肥満、胃弱、便秘症、鬱病（ｔｒｉｓｔｉｍａｎｉａ）などの可能性が低下する。
【００６０】
当業者によってより明確に本開示が理解されるようにするために、画面輝度に基づいて色温度を調節する方法の実行処理を特定の適用例と組み合わせて以下で説明する。
【００６１】
図３に示されているように、表示画面の輝度レベルの個数を検出する。たとえば、表示画面の輝度レベルの個数は２５５である。画面輝度を実際の試験によって決定することができる。２５５段階の輝度レベルに対応する輝度範囲の個数を画面輝度にしたがって決定することができる。たとえば３つの輝度範囲を設定する。輝度範囲について、輝度範囲の中央の値を輝度範囲の基準輝度として構成することができ、基準輝度毎に色温度パラメータ（ＲＧＢ光スペクトルエネルギ再構成比率）を計算することができる。画面のＲＧＢ光スペクトルエネルギをＲＧＢ光スペクトルエネルギの再構成比率にしたがって調節することができる。
【００６２】
まとめると、画面輝度に基づいて色温度を調節する方法を用いれば、青色光フィルタリング操作を受けた画面の現在の画面輝度を検出し、現在の画面輝度および適合予定の目標色温度に対応するＲＧＢ光スペクトルエネルギの再構成比率を、予め学習したＲＧＢ光スペクトルエネルギ分布情報にしたがって決定し、ＲＧＢ光スペクトルエネルギ再構成比率にしたがってＲＧＢ光スペクトルエネルギを調節することで、青色光フィルタリング操作を受けた画面のＲＧＢ光エネルギが目標色温度に適合することが可能になる。このようにして、色温度の調節結果が期待する結果に一致するように色温度および画面輝度を対応づけて設定することによって色温度のシフトが防止され、したがって、ユーザの見え方が改善する。
【００６３】
上記の目的を達成するために、本開示では画面輝度に基づいて色温度を調節する装置をさらに提供する。
【００６４】
図４は、本開示の一実施の形態に係る、画面輝度に基づいて色温度を調節する装置のブロック図を示す。
【００６５】
図４に示されているように、装置は検出モジュール１００、決定モジュール２００および処理モジュール３００を含む。
【００６６】
検出モジュール１００は、青色光フィルタリング操作を受けた画面の現在の画面輝度を検出するように構成されている。
【００６７】
決定モジュール２００は、予め学習したＲＧＢ光スペクトルエネルギ分布情報にしたがって現在の画面輝度および適合予定の目標色温度に対応するＲＧＢ光スペクトルエネルギの再構成比率を決定するように構成されている。
【００６８】
本開示の一実施の形態では、図５に示されているように、図４に関して説明されている実施の形態に基づいて、決定モジュール２００は決定ユニット２１０と取得ユニット２２０とを含む。
【００６９】
決定ユニット２１０は、予め分割された複数の輝度範囲について照会を行なって、現在の画面輝度を含む目標輝度範囲と、目標輝度範囲に対応する基準輝度とを決定するように構成されている。
【００７０】
取得ユニット２２０は、予め学習したＲＧＢ光スペクトルエネルギ分布情報について照会を行なって、基準輝度および目標色温度に対応する再構成比率を得るように構成されている。
【００７１】
処理モジュール３００は、再構成比率にしたがってＲＧＢ光スペクトルエネルギを調節することで、青色光フィルタリング操作を受けた画面のＲＧＢ光スペクトルエネルギが目標色温度に適合することを可能にするように構成されている。
【００７２】
本開示の実施の形態では、図６に示されているように、図４に関して説明されている実施の形態に基づいて、処理モジュール３００は第１の調節ユニット３１０と第２の調節ユニット３２０とを含む。
【００７３】
第１の調節ユニット３１０は、青色光、緑色光および赤色光にそれぞれ対応する複数の第１のエネルギ調節モジュールによって再構成比率にしたがってＲＧＢ光スペクトルエネルギに対する最初の調節を行なうように構成されている。
【００７４】
第２の調節ユニット３２０は、青色光、緑色光および赤色光にそれぞれ対応する複数の第２のエネルギ調節モジュールによって、複数の第１のエネルギ調節モジュールによって調節されたＲＧＢ光スペクトルエネルギに対するさらなる調節を行なうように構成されている。
【００７５】
上述されている画面輝度に基づいて色温度を調節する方法の説明は、画面輝度に基づいて色温度を調節する装置にも好適であり、原理は同じである。この原理はここでは説明しない。
【００７６】
画面輝度に基づいて色温度を調節する装置を用いれば、青色光フィルタリング操作を受けた画面の現在の画面輝度を検出し、現在の画面輝度および適合予定の目標色温度に対応するＲＧＢ光スペクトルエネルギの再構成比率を、予め学習したＲＧＢ光スペクトルエネルギ分布情報にしたがって決定し、ＲＧＢ光スペクトルエネルギ再構成比率にしたがってＲＧＢ光スペクトルエネルギを調節することで、青色光フィルタリング操作を受けた画面のＲＧＢ光エネルギが目標色温度に適合することが可能になる。このようにして、色温度の調節結果が期待する結果に一致するように色温度および画面輝度を対応づけて設定することによって色温度のシフトが防止され、したがって、ユーザの見え方が改善する。
【００７７】
上記の実施の形態を実現するために、本開示では端末装置をさらに提供する。図７は、本開示の実施の形態に係る端末装置のブロック図を示す。図７に示されているように、端末装置１０００はメモリ１１００と、プロセッサ１２００と、メモリ１１００に記憶されてプロセッサ１２００上で実行可能なコンピュータプログラム１３００とを含んでもよい。プロセッサ１２００がコンピュータプログラム１３００を実行して、上述されている画面輝度に基づいて色温度を調節する方法を実現することができる。
【００７８】
まとめると、端末装置を用いれば、青色光フィルタリング操作を受けた画面の現在の画面輝度を検出し、現在の画面輝度および適合予定の目標色温度に対応するＲＧＢ光スペクトルエネルギの再構成比率を、予め学習したＲＧＢ光スペクトルエネルギ分布情報にしたがって決定し、ＲＧＢ光スペクトルエネルギ再構成比率にしたがってＲＧＢ光スペクトルエネルギを調節することで、青色光フィルタリング操作を受けた画面のＲＧＢ光エネルギが目標色温度に適合することが可能になる。このようにして、色温度の調節結果が期待する結果に一致するように色温度および画面輝度を対応づけて設定することによって色温度のシフトが防止され、したがって、ユーザの見え方が改善する。
【００７９】
上記の実施の形態を実現するために、本開示では、それ自体に記憶されるコンピュータプログラムを有する非一時的コンピュータ可読記憶媒体をさらに提供する。コンピュータプログラムがプロセッサによって実行されるとき、上述されている画面輝度に基づいて色温度を調節する方法を実現することができる。
【００８０】
本明細書にわたって「一実施の形態」、「いくつかの実施の形態」、「一例」、「特定の例」または「いくつかの例」に言及することは、当該実施の形態または例に関連して説明される特定の特徴、構成、材料または特性が本開示の少なくとも１つの実施の形態または例に含まれることを意味する。本明細書では、前述の用語の例示的な説明は同じ実施の形態または例に必ずしも適用されていない。さらに、１つ以上の実施の形態または例で特定の特徴、構成、材料または特性を任意の適切な手法で組み合わせてもよい。さらに、当業者であれば、本開示で説明されている異なる実施の形態を組み合わせたり、実施の形態もしくは例中の異なる特性を組み合わせたりすることができる。
【００８１】
さらに、「第１」および「第２」の用語は説明のために用いられるにすぎず、相対的な重要度を示したり示唆したり、示されている技術的特徴の数を示したり示唆したりするとみなすことはない。したがって、「第１」および「第２」を用いて定義される特徴は、当該特徴の少なくとも一方を備えたり示唆したりしてもよい。本開示の説明では、特に明記しない限り、「複数の」は２以上を意味する。
【００８２】
フローチャートで説明されていたり別様に本明細書で説明されていたりする任意のプロセスまたは方法は、プロセス中の特定の論理的機能または工程を実現する実行可能指示のコードの１つ以上のモジュール、セグメントまたは部分を含むと解することができる。また、本開示の好ましい実施の形態の範囲には他の実現例が含まれ、他の実現例では、実行順序が図示されていたり説明されていたりする順序と異なってもよく、また、他の実現例は、関与する機能に応じて、機能を発揮するのに同時に実行したり部分的に同時に実行したり反対の順序で実行したりすることを含む。これは、当業者によって当然理解される。
【００８３】
本明細書で別様に説明されていたり、フローチャート、たとえば、論理的機能を実現する実行可能指示の特定のシーケンス表に示されていたりするロジックおよび／または工程は、特に、指示実行システム、デバイスまたは装置（コンピュータを基礎とするシステムなど。当該システムは、指示実行システム、デバイスおよび装置から指示を得て指示を実行することができるプロセッサまたは他のシステムを備える。）によって用いられたり、指示実行システム、デバイスおよび装置と組み合わせて用いられたりする任意のコンピュータ可読媒体中で実現してもよい。本明細書に関して言えば、「コンピュータ可読媒体」は、プログラムを含んだり記憶したり伝えたりプロパゲートしたり移動させたりすることに対応可能であって、指示実行システム、デバイスまたは装置によって用いられたりこれと組み合わせて用いられたりする任意のデバイスであってもよい。コンピュータ可読媒体のより具体的な例は、１系統以上の有線を用いる電子接続物（電子デバイス）、ポータブルコンピュータ内蔵物（ｐｏｒｔａｂｌｅ  ｃｏｍｐｕｔｅｒ  ｅｎｃｌｏｓｕｒｅ）（磁気デバイス）、ランダムアクセスメモリ（ＲＡＭ）、読出し専用メモリ（ＲＯＭ）、消去可能プログラマブル読出し専用メモリ（ＥＰＲＯＭまたはフラッシュメモリ）、光ファイバデバイスおよびポータブルコンパクトディスク読出し専用メモリ（ＣＤＲＯＭ）を備えるが、これらに限定されない。これに加えて、コンピュータ可読媒体は、プログラムを印刷可能な紙媒体または他の適切な媒体でさえあってもよい。これは、たとえば、紙媒体または他の適切な媒体に対して、電気的な手法でプログラムを得ることが必要なときに、光学スキャンを行なった後に編集、解読や他の適切な方法での処理を行なうことができ、その後、プログラムをコンピュータメモリに記憶させることができるからである。
【００８４】
本開示の各部分をハードウェア、ソフトウェア、ファームウェアまたはこれらの組合せによって実現してもよいと当然解する。上記の実施の形態では、メモリに記憶されて、適切な指示実行システムによって実行されるソフトウェアまたはファームウェアによって複数の工程または方法を実現してもよい。たとえば、ハードウェアによって実現される場合、別の実施の形態において同様に工程または方法を実現してもよく、本技術において知られている技術物、すなわち、データ信号の論理機能を実現する論理ゲート回路を有する別体の論理回路、適切な組合せ論理ゲート回路を有する専用集積回路、プログラマブルゲートアレイ（ＰＧＡ）、フィールドプログラマブルゲートアレイ（ＦＰＧＡ）などのうちの１つまたはこれらの組合せによって工程または方法を実現してもよい。
【００８５】
本開示のために例示されている上記の方法の工程の全部または一部を、プログラムを用いて関連ハードウェアに命令することによって実現してもよく、プログラムをコンピュータ可読記憶媒体に記憶してもよく、プログラムがコンピュータ上で実行される場合に本開示の方法実施の形態中の工程のうちの１つまたはこれらの組合せをプログラムが含むと当業者が解することに疑いはない。
【００８６】
これに加えて、本開示の実施の形態の各機能セルを処理モジュールに組み込んでもよいし、これらのセルが別々の物理的存在であってもよいし、あるいは、２つ以上のセルを処理モジュールに組み込む。組み込みモジュールをハードウェアの形態で実現しても、ソフトウェア機能モジュールの形態で実現してもよい。組み込みモジュールをソフトウェア機能モジュールの形態で実現してスタンドアローン製品として販売したり使用したりする場合、組み込みモジュールをコンピュータ可読記憶媒体に記憶してもよい。
【００８７】
上述の記憶媒体は読出し専用メモリ、磁気ディスク、ＣＤなどであってもよい。
【００８８】
本開示の実施の形態が上記に示されて説明されているが、上記の実施の形態は単なる説明的なものにすぎず、本開示を限定すると解釈されることはないと当然解する。当業者は本開示の精神、原理および範囲を逸脱しない範囲で実施の形態に変形、代替および修正を行なうことができる。
【図１】
2020506414.tif 000004
【図２（ａ）】
2020506414.tif 000005
【図２（ｂ）】
2020506414.tif 000006
【図３】
2020506414.tif 000007
【図４】
2020506414.tif 000008
【図５】
2020506414.tif 000009
【図６】
2020506414.tif 000010
【図７】
2020506414.tif 000011
【国際調査報告】
2020506414.tif 000012
2020506414.tif 000013